(57)【特許請求の範囲】
【請求項１】
複数の通話相手それぞれに対応して当該電話装置に予め登録され、前記通話相手の名称を示す名称データと、前記通話相手の認証に用いられる認証データと、前記通話相手の端末の電話番号を示す相手番号データと、前記着信表示の方法を指定する表示方法データとをそれぞれ含む登録データと、当該電話装置への着信の際に発信側端末から当該電話装置へ送信され、発信者の認証に用いられる発信者認証データとに基づいて所定の表示を行う電話装置であって、
当該電話装置の複数の利用者それぞれの名称を示す利用者データを、１つ以上の前記登録データに対応付けて記憶する利用者名称記憶手段と、
前記発信者認証データと、前記登録データそれぞれに含まれる前記相手番号データの所定の部分および前記認証データとを順次、比較する比較手段と、
前記発信者認証データと、前記相手番号データの所定の部分および前記認証データとが一致する前記登録データの前記名称データを、当該登録データの前記表示方法データで指定される方法で表示し、かつ、前記発信者認証データと、前記相手番号データの所定の部分および前記認証データとが一致する前記登録データの前記表示方法データに基づいて、前記利用者データを表示する表示手段と
を有する電話装置。
【請求項２】
前記発信者認証データが、いずれの前記登録データの前記相手番号データの所定の部分および前記認証データとも一致しない場合に、前記設定された通話路を切断する通話路切断手段
をさらに有する請求項１に記載の電話装置。
【請求項３】
複数の通話相手それぞれに対応する登録データを記憶するメモリ回路と、
前記登録データの登録時には、前記通話相手の端末から送信された通話相手のみが知り得る識別データと、前記通話相手の名称を示す名称データと、前記通話相手の端末の電話番号を示す相手番号データと、前記着信表示の方法を指定する表示方法データとを、前記登録データとして前記メモリ回路に登録し、当該電話装置への着信時には、発信側の前記通話相手の端末から当該電話装置へ送信され、前記通話相手としての発信者の認証に用いられる発信者認証データと、前記登録データそれぞれに含まれる前記相手番号データの所定の部分および前記識別データとを順次、比較する制御回路と、
前記制御回路による比較結果に応じて、前記発信者認証データと、前記相手番号データの所定の部分および前記認証データとが一致する前記登録データの前記名称データを、当該登録データの前記表示方法データで指定される方法で表示する表示手段と
を有する電話装置。
【発明の詳細な説明】
【０００１】
【産業上の利用分野】
本発明は、発信側端末から送信されてくるデータに基づいて、発信者の氏名等の表示処理、および、着信表示等を行う電話装置に関する。
【０００２】
【従来の技術】
着信時に発信側端末から送信されてきたデータに基づいて、着信表示等を行う電話装置としては、例えば、「特開昭６３−６４４５１号公報」に開示された電話装置が知られている。
上記文献に記載された電話装置は、発信側の電話装置から送られてきた着信側の利用者を特定する信号に基づいて、着信側の電話装置の呼出音の音色等を変更することにより、着信側の電話装置を利用する複数の利用者の中から特定の一人を指定して呼び出すことができるように構成されている。
【０００３】
【発明が解決しようとする課題】
しかしながら、上記文献に記載された電話装置は、着信側の利用者を特定する信号が送信されてこない場合には、通常の呼出音を発生するように構成されており、発信者を特定して呼出音を発生することができない。
したがって、近年、特に問題化しているイタズラ電話による着信の際にも呼出音を発生してしまい、その防止には役にたたない。
また、呼出音の音色等を変えて着信側の電話装置の利用者を特定するように構成されているので、似た音色の発信音を割り当てられた複数の利用者の間に混乱が生じやすい。特に、家庭での使用の場合、複数の信号オンを聞き分けることは困難であり、該当者が聞こえる場所にいない場合には、他の者が電話に出ない限り誰にかかってきたのか判らないという不便さが生じる。
【０００４】
最近は、音声合成用の半導体装置が広く利用され、しかも、安価になってきている。このような音声合成用の半導体装置を用い、着信側の利用者を特定する信号に基づいて、特定された利用者の名前を音声で呼び出すことも可能になってきている。
このように利用者を特定して呼び出す方法は、音声により明確に特定の利用者を呼び出すことができる利点がある一方、周囲の人にも特定の利用者が呼び出されたことが知れ渡ってしまうので、発信者と着信側の電話装置の利用者との関係によっては、プライバシーの面から都合が悪い場合がある。
【０００５】
本発明は、上述した従来技術の問題点に鑑みてなされたものであり、発信側の電話装置から着信側の電話装置の利用者を明確に特定して呼び出すことができる電話装置を提供することを目的とする。
また、本発明は、発信側の電話装置から着信側の電話装置の利用者を明確に特定して呼び出すことができるうえに、いわゆるイタズラ電話を有効に防止することができる電話装置を提供することを目的とする。
また、本発明は、着信側の利用者それぞれが、発信者ごとに異なる着信表示をさせることができ、発信者それぞれからの電話を受ける際に、着信側の利用者自らが望むような方法で呼び出しを受けることができる電話装置を提供することを目的とする。
また、本発明は、着信側の利用者が、所望の方法で呼び出しを受けることにより、プライバシーを自ら守ることができる電話装置を提供することを目的とする。
【０００６】
【課題を解決するための手段】
上記目的を達成するために、本発明の第１の観点の電話装置は、複数の通話相手それぞれに対応して当該電話装置に予め登録され、前記通話相手の名称を示す名称データと、前記通話相手の認証に用いられる認証データと、前記通話相手の端末の電話番号を示す相手番号データと、前記着信表示の方法を指定する表示方法データとをそれぞれ含む登録データと、当該電話装置への着信の際に発信側端末から当該電話装置へ送信され、発信者の認証に用いられる発信者認証データとに基づいて所定の表示を行う電話装置であって、当該電話装置の複数の利用者それぞれの名称を示す利用者データを、１つ以上の前記登録データに対応付けて記憶する利用者名称記憶手段と、前記発信者認証データと、前記登録データそれぞれに含まれる前記相手番号データの所定の部分および前記認証データとを順次、比較する比較手段と、前記発信者認証データと、前記相手番号データの所定の部分および前記認証データとが一致する前記登録データの前記名称データを、当該登録データの前記表示方法データで指定される方法で表示し、かつ、前記発信者認証データと、前記相手番号データの所定の部分および前記認証データとが一致する前記登録データの前記表示方法データに基づいて、前記利用者データを表示する表示手段とを有する。
【０００７】
好適には、前記発信者認証データが、いずれの前記登録データの前記相手番号データの所定の部分および前記認証データとも一致しない場合に、前記設定された通話路を切断する通話路切断手段をさらに有する。
また、前記目的を達成するために、本発明の第２の観点の電話装置は、複数の通話相手それぞれに対応する登録データを記憶するメモリ回路と、前記登録データの登録時には、前記通話相手の端末から送信された通話相手のみが知り得る識別データと、前記通話相手の名称を示す名称データと、前記通話相手の端末の電話番号を示す相手番号データと、前記着信表示の方法を指定する表示方法データとを、前記登録データとして前記メモリ回路に登録し、当該電話装置への着信時には、発信側の前記通話相手の端末から当該電話装置へ送信され、前記通話相手としての発信者の認証に用いられる発信者認証データと、前記登録データそれぞれに含まれる前記相手番号データの所定の部分および前記識別データとを順次、比較する制御回路と、前記制御回路による比較結果に応じて、前記発信者認証データと、前記相手番号データの所定の部分および前記認証データとが一致する前記登録データの前記名称データを、当該登録データの前記表示方法データで指定される方法で表示する表示手段とを有する。
【０００８】
【作用】
本発明に係る電話装置において、複数の通話相手それぞれに対応して予め登録される登録データは、例えば当該電話装置の利用者が電話帳のように利用し得る情報を含んでいる。登録データには、一般的な電話帳に記載されるような通話相手の名前（名称データ）、および、通話相手の端末の電話番号（相手番号データ）と、本発明に係る電話装置が通話相手の認証に用いる認証データ、および、着信表示の方法を示す表示方法データとが含まれる。したがって、本発明に係る電話装置の利用者は、例えば短縮ダイヤルといった既存の電話機の機能のためのデータを登録するのと同等の手間をかけるだけで、登録データを登録することができる。
【０００９】
発信側端末から送信されてくる発信者認証データには、着信先の電話装置に登録されている発信者の電話番号の一部、例えば下４桁と、その発信者のみが知り得る識別用データとが含まれている。したがって、発信者認証データは発信者にとって記憶しやすく、しかも、発信者認証データを識別用データのみにした場合に比べて桁数が多くなるので、その秘匿性が高くなる。
【００１０】
比較手段は、発信側端末から送信されてくる発信者認証データと、登録データそれぞれに含まれる電話番号の所定の部分、例えば下４桁、および、認証データとを順次、比較する。
表示手段は、発信者認証データと、登録された電話番号の所定の部分および認証データとが一致する場合には、これらが含まれる登録データの表示方法データに従って、通話相手の名前を含む表示、例えば「ＸＸサンカラデンワデス」とＬＣＤ表示装置に表示したり、あるいは、同じ内容の合成音声により呼び出したりする。
【００１１】
【実施例１】
以下、本発明の第１の実施例を説明する。
本発明に係る電話装置の構成
図１は、本発明に係る電話装置１の構成を示す図である。
図１に示すように、電話装置１は、通話回路１０、受話器１２、制御回路（ＣＰＵ）１４、メモリ回路（ＭＥＭ）１６およびキーボード２０といった、一般的な多機能電話機と同様の構成要素に、呼び出し選択キー１８、表示装置２２、音声呼出装置２４および呼出音発生装置２６といった、本発明に係る機能を実現するための構成要素を付加した構成になっている。
【００１２】
制御回路１４は、電話装置１の各構成要素を制御する。なお、制御回路１４の制御処理の詳細な内容は、図２以下を参照して後述する。
メモリ回路１６は、制御回路１４の制御処理に用いられるデータを記憶する。なお、メモリ回路１６に記憶されるデータ（登録データ）の内容、および、そのフォーマットは、図３〜図５を参照して後述する。
通話回路１０は、２線４線変換を行うスピーチネットワーク、および、ダイヤリングに用いられるＤＴＭＦを送受信するＤＴＭＦ送受信回路（いずれも図示せず）等から構成されており、制御回路１４の制御に従って、電話装置１とアナログ電話回線との接続・切断を行い、あるいは、通話音声およびＤＴＭＦを送受信する。
【００１３】
受話器１２は、通話回路１０を介して入力された通話相手の音声を電話装置１の利用者に対して出力し、電話装置１の利用者の音声を通話回路１０に対して出力する。
呼び出し選択キー１８は、例えば複数の設定用スイッチから構成されており、電話装置１の利用者は、これらの設定用スイッチのいずれかを押下して設定した電話装置１の動作モードを制御回路１４に対して出力する。なお、電話装置１の動作モードは、図２等を参照して後述する。
キーボード２０は、一般的なテンキーと同様の「０〜９」の数字と「＃，＊」等の記号と、その他の文字とに対応したスイッチを有しており、電話装置１の利用者がスイッチを押下して指定した数字、記号または文字を制御回路１４に対して順次、出力する。
【００１４】
表示装置２２は、例えば液晶（ＬＣＤ）表示装置であって、制御回路１４の制御に従って、所定のデータを視覚的に電話装置１の利用者に表示する。
音声呼出装置２４は、音声合成回路を有しており、制御回路１４の制御に従って、所定の音声を発生して電話装置１の周囲に出力する。
呼出音発生装置２６は、制御回路１４の制御に従って、所定の呼出音を発生して電話装置１の周囲に出力する。
【００１５】
本発明に係る電話装置の動作モードの概要
図２は、図１に示した電話装置１の動作モードの種類を示す図である。
図２に示すように、電話装置１には、例えば「留守」、「シークレット」、「通常」および「居留守」の動作モードがあり、電話装置１の利用者は、呼び出し選択キー１８を用いてこれらの動作モードの内のいずれかを制御回路１４に対して設定する。
【００１６】
動作モード「留守」は、電話装置１に着信があった場合に、例えば、発信側に利用者が留守である旨を伝えるメッセージを送出する動作モードである。
動作モード「シークレット」は、電話装置１に着信があった場合に、電話装置１と電話回線とを接続して一定時間ｔ1 の間、発信側から送られてくる発信者認証データを待ち、送られてきた発信者認証データと、予め登録された登録データそれぞれに含まれる所定のデータとが一致する場合にのみ着信表示を行い、これ以外の場合には電話装置１と電話回線との接続を切る動作モードである。
【００１７】
動作モード「通常」は、電話装置１に着信があった場合に、特殊な処理を行わずに、一般の電話機と同様に呼出音発生装置２６から呼出音を出力して電話装置１の利用者に着信を知らせる動作モードである。
動作モード「居留守」は、電話装置１に着信があった場合に、電話装置１と電話回線とを接続して一定時間ｔ1 の間、発信側から送られてくる発信者認証データを待ち、送られてきた発信者認証データと、予め登録された登録データそれぞれに含まれる所定のデータとが一致する場合に所定の着信表示を行い、これ以外の場合には、一般の電話機と同様に呼出音発生装置２６から呼出音を出力して電話装置１の利用者に着信を知らせる動作モードである。
なお、図２に示した動作モード「シークレット」および動作モード「居留守」における制御回路１４の詳細な処理内容は、図３以下を参照して後述する。
【００１８】
本発明に係る電話装置のメモリ回路に記憶されるデータの内容
図３は、図１に示したメモリ回路１６に記録されるデータの構成を示す図である。
図４は、図３に示した登録データそれぞれの内容を示す図であって、（Ａ）は図３に示した利用者データＭ０i の内容を示し、（Ｂ）は図３に示した登録データＭijの内容を示す。
図５は、図４（Ｂ）に示した登録データの内容を拡張した登録データＭijの内容を示す。
【００１９】
図３〜図５に示した登録データＭijおよび利用者データＭ０i は、電話装置１の動作モード「シークレット」および動作モード「居留守」を実現する際に用いられる。これらのデータは、電話装置１の利用者によりキーボード２０から随時、入力される。
図３に示すように、メモリ回路１６には、１個以上の登録データＭij（ｂ）が、１個以上の利用者データＭ０i （ａ）にそれぞれ対応付けられて記憶されている（ｉ，ｊ，，ｋ，ｎは整数、１≦ｉ≦ｎ）。
【００２０】
図４（Ａ）に示すように、利用者データＭ０i はそれぞれ、電話装置１の利用者それぞれの電話番号を示す番号データａ、所定の付加データｂ、および、利用者の名前あるいは名称（これらを合わせて名称と記す）を示す名称データｃとが含まれている。
なお、動作モード「シークレット」および動作モード「居留守」には、利用者データの内、名称データｃのみが用いられる。番号データａおよび付加データｂは、電話装置１の機能を拡張する際に用いられる予備的なデータである。
【００２１】
また、図４（Ｂ）に示すように、登録データＭijそれぞれには、通話相手の電話番号を示す相手番号データｄと、電話装置１への着信時に発信側から送られてくる識別データｅ（数字１桁），ｆ（数字３桁）と、相手の姓名等を示す名称データｇと、名称データｇおよび利用者データＭ０i の名称データｃの表示方法等を示す表示方法データｈとが含まれている。電話装置１の動作モード「シークレット」および動作モード「居留守」は、これらのデータを用いることにより実現することができる。
なお、表示方法データｈの意味は下表の通りである。
【００２２】
【表１】
0003667800.tif 000002
【００２３】
なお、表１において、「 」は空欄を示し、表示には、表示装置２２への文字表示、および、音声呼出装置２４を介した合成音声による表示が含まれる。
例えば、音声呼出装置２４による表示は、登録データＭijの内容が図４（Ａ），（Ｂ）の通りとすると、表１（１）の場合には、音声呼出装置２４から「ヤマダサンニデンワデス」という音声を出力し、表１（２）の場合には、音声呼出装置２４から「サトウサンカラデンワデス」という音声を出力し、表１（３）の場合には、音声呼出装置２４から「ハルオサンカラデンワデス」という音声を出力し、表１（４）の場合には、音声呼出装置２４から「サトウハルオサンカラデンワデス」という音声を出力することになる。
なお、登録データＭijおよび利用者データＭ０i は、登録の際に表示装置２２に表示される。識別データ（ＩＤ）ｅ，ｆのメモリへの登録は、端末利用者が端末内の電話帳ダイヤル機能により相手先にダイヤルし、接続状態で端末登録ボタンを押下し、相手側からの識別（ＩＤ）コードｅ，ｆに相当するＰＢ信号を受信し、当該メモリに自動セットする。従って、識別データ（ＩＤ）ｅ，ｆの部分は、その内容が目視できないように桁数にかかわらず「＊＊＊＊」と表示される。
【００２４】
また、図５に示すように、実際の登録データには、さらに相手番号データｄ等により示される通話相手から最後に受けた着信の時刻（最終着信時刻）、および、その通話相手から所定の期間内に受けた着信の回数を示す（着信回数）を示す留守着表示フラグが付加されている。
電話装置１が動作モード「留守」にある場合に、発信側から送られてくる発信者認証データを受信し、発信者認証データおよび時刻に基づいて留守着表示フラグに所定のデータを書き込み、さらに留守着表示フラグの内容を表示装置２２に表示することにより、上述した電話装置１の動作モード「留守」の機能を一層充実させることができる。
【００２５】
電話装置１が動作モード「シークレット」および動作モード「居留守」にある場合に、発信者認証データは、例えばＤＴＭＦにより相手側から電話装置１に送られる。発信者認証データの内容は、例えば下表の通りである。
【００２６】
【表２】
0003667800.tif 000003
ただし、＃は、それ以降の４桁の数字が識別データｅ，ｆであることを示す識別符号である。
【００２７】
表２に示した他、発信者認証データの内容を、例えば下表のようにすることも可能である。
【００２８】
【表３】
発信者認証データ  ＝  相手番号データｄの下４桁  ＋  ＃        （３）
【００２９】
【表４】
0003667800.tif 000004
【００３０】
なお、入力のやり直しは「＊」を入力することにより行う。
しかしながら、表３の内容とすると、不特定多数の者が相手番号データｄの内容を知り得るので、発信者認証データの秘匿性はないに等しく、イタズラ電話の防止等の目的を達成できない。表４の内容としても、識別データｅを捜し当てるのはさほど難しくない。
一方、表２の内容とすると、発信者認証データに、例えば銀行のキャッシュカード以上の秘匿性が期待できるので、イタズラ電話の防止等の目的の達成と、発信者認証データの記憶しやすさの両立を図ることができる。
【００３１】
以下、電話装置１の動作を説明する。
動作モード「シークレット」の場合の動作
図６は、電話装置１が動作モード「シークレット」にある場合の制御回路１４の処理を示すフローチャートである。
電話装置１が動作モード「シークレット」にある場合、通話回路１０が電話回線からの着信を検出すると、制御回路１４は通話回路１０を制御して電話回線を接続（オフフック状態と）する。
ステップ０１（Ｓ０１）において、制御回路１４は、通話回路１０を介して電話回線から、例えばＤＴＭＦとして発信側から送られてくる表１に示した発信者認証データを１キャラクタずつ受信する。
【００３２】
ステップ０２（Ｓ０２）において、制御回路１４は、Ｓ０１の処理において発信者認証データが受信されたか否かにかかわらず、電話回線を接続してから所定の時間ｔ1 が経過したか否か、および、所定数（９桁）の発信者認証データを受信したか否かを判断する。
制御回路１４は、所定時間ｔ1 が経過せず、かつ、所定数の発信者認証データを受信していない場合にはＳ０１の処理に進み、これ以外の場合にはＳ０３の処理に進む。
【００３３】
ステップ０３（Ｓ０３）において、制御回路１４は、登録データＭijそれぞれの相手番号データｄの下４桁に識別データｅ，ｆを連結したデータと受信した発信者認証データとを順次、比較する。
ステップ０４（Ｓ０４）において、制御回路１４は、Ｓ０３の処理において受信した発信者認証データとメモリ回路１６に記憶されている登録データＭijとの一致が検出された場合にはＳ０６の処理に進み、全ての登録データＭijと発信者認証データとが一致しなかった場合にはＳ０５の処理に進む。
【００３４】
ステップ０５（Ｓ０５）において、制御回路１４は、通話回路１０を制御して電話回線との接続を切る。
ステップ０６（Ｓ０６）において、制御回路１４は、Ｓ０４の処理において発信者認証データとの一致が検出された登録データＭijの表示方法データに従って、例えば表１を参照して上述したように着信表示を行う。
【００３５】
動作モード「居留守」の場合の動作
図７は、電話装置１が動作モード「居留守」にある場合の制御回路１４の処理を示すフローチャートである。
電話装置１が動作モード「居留守」にある場合、通話回路１０が電話回線からの着信を検出すると、制御回路１４は通話回路１０を制御して電話回線をオフフック状態とする。
図７に示すように、ステップ１１（Ｓ１１）〜ステップ１３（Ｓ１３）において、制御回路１４は、図６に示したＳ０１〜Ｓ０３の処理と同じ処理を行う。
【００３６】
ステップ１４（Ｓ１４）において、制御回路１４は、Ｓ１３の処理において受信した発信者認証データとメモリ回路１６に記憶されている登録データＭijとの一致が検出された場合にはＳ１６の処理に進み、全ての登録データＭijと発信者認証データとが一致しなかった場合にはＳ１５の処理に進む。
ステップ１５（Ｓ１５）において、制御回路１４は、呼出音発生装置２６を制御して呼出音を発生し、着信通知を行う。
ステップ１６（Ｓ１６）において、制御回路１４は、図６に示したＳ１６の処理と同じ処理を行う。
【００３７】
以上述べたように、本発明に係る電話装置１によれば、登録データＭijの内容は一般の多機能電話機における電話帳機能を実現するために登録すべきデータとほぼ同じなので、登録データＭijを電話帳として用いることができ、利用者の便宜を図ることができる。また、登録データＭijの内容が電話帳と同様であるゆえに、その登録は容易である。
また、動作モード「シークレット」および動作モード「居留守」の処理の際に発信者が送信すべき発信者認証データは発信者の電話番号の一部と所定の桁数の番号とを含むので、桁数が多くなり、秘匿性が高くなる。一方、同じ理由により、発信者にとって発信者認証データは記憶しやすいものとなっている。
【００３８】
なお、以上述べた第１の実施例においては、電話装置１がアナログ電話回線に接続される場合について説明したが、電話装置１を適切に変形することにより、ディジタル電話回線に接続して同様の機能を実現することができる。
また、第１の実施例に示した着信表示の方法は例示であり、音声呼出装置２４から出力される音声の内容は任意である。
また、上述した登録データＭij、利用者データＭ０および発信者認証データの内容は例示であり、電話装置１の構成・用途等に合わせて変更可能である。
【００３９】
【実施例２】
以下、本発明の第２の実施例として、電話装置１において留守着表示フラグを利用した動作モード「留守」の動作を説明する。
電話装置１を変形し、動作モード「留守」の際にも、制御回路１４が図６に示したＳ０１〜Ｓ０４，Ｓ０６の処理を行うようにし、呼び出し選択キー１８に「代理」キーを設ける。
【００４０】
図６に示したＳ０６の処理により呼び出しを受けた利用者が電話装置１の周囲にいない場合に、他の利用者が電話装置１をオフフックして通話して「代理」キーを押下したときにのみ、制御回路１４は留守着表示フラグに所定のデータを書き込み、表示装置２２に着信を受けた利用者名を表示する。
このように電話装置１を構成することにより、発信者が望む利用者が電話装置１の周囲におらず、代わりの利用者が電話を取った場合にも、簡単な動作で確実に電話した事実を通知することができる。
【００４１】
【発明の効果】
上述したように本発明に係る電話装置によれば、発信側の電話装置から着信側の電話装置の利用者を明確に特定して呼び出すことができる。
また、本発明に係る電話装置によれば、発信側の電話装置から着信側の電話装置の利用者を明確に特定して呼び出すことができるうえに、いわゆるイタズラ電話を有効に防止することができる。
【００４２】
また、本発明に係る電話装置によれば、着信側の利用者それぞれが、発信者ごとに異なる着信表示をさせることができ、発信者それぞれからの電話を受ける際に、着信側の利用者自らが望むような方法で呼び出しを受けることができる。
また、本発明に係る電話装置によれば、着信側の利用者が、所望の方法で呼び出しを受けることにより、プライバシーを自ら守ることができる。
【図面の簡単な説明】
【図１】本発明に係る電話装置の構成を示す図である。
【図２】図１に示した電話装置の動作モードの種類を示す図である。
【図３】図１に示したメモリ回路に記録されるデータの構成を示す図である。
【図４】図３に示した登録データそれぞれの内容を示す図であって、（Ａ）は図３に示した利用者データＭ０i の内容を示し、（Ｂ）は図３に示した登録データＭijの内容を示す。
【図５】図４（Ｂ）に示した登録データの内容を拡張した登録データＭijの内容を示す。
【図６】電話装置が動作モード「シークレット」にある場合の制御回路の処理を示すフローチャートである。
【図７】電話装置が動作モード「居留守」にある場合の制御回路の処理を示すフローチャートである。
【符号の説明】
１…電話装置、１０…通話回路、１２…受話器、１４…制御回路、１６…メモリ回路、１８…呼び出し選択キー、２０…キーボード、２２…表示装置、２４…音声呼出装置、２６…呼出音発生装置
【図１】
0003667800.tif 000005
【図２】
0003667800.tif 000006
【図３】
0003667800.tif 000007
【図４】
0003667800.tif 000008
【図５】
0003667800.tif 000009
【図６】
0003667800.tif 000010
【図７】
0003667800.tif 000011